(57)【要約】【課題】  院内診療室における診察状況や順番等の情報を患者が院外においても確認したり、診察予約や診察通知を受けたりする事のできる診察情報確認通知システムを提供する。【解決手段】  診療室９１１ａを有する病院や診療所の診察状況及び診察順番を確認できるようにしたシステムであって、患者８ａの診察番号２３ａを発行する順番案内サーバー４ａと、診療室９１１ａ毎に診察状況を監視すると共に各患者の診療室９１１ａ毎の診察情報を設定するための患者診察振分け機３ａと、患者診察振分け機３ａから所定毎に送信される診療室９１１ａ毎の診察状況及び診察情報の各データによりインターネット上にある病院運営ＷＥＢサイト７ａのデータを更新管理するためのＷＥＢシステム用サーバー５ａとを夫々通信接続して構成する。【選択図】  図１
2006120103.tif 000002
【特許請求の範囲】
【請求項１】
診療室を有する病院や診療所の診療室毎の診察状況及び診察順番を確認できるようにしたシステムであって、患者の診察番号を発行する順番案内サーバーと、診療室毎に診察状況を監視すると共に各患者の診療室毎の診察情報を設定するための患者診察振分け機と、患者診察振分け機から所定毎に送信される診療室毎の診察状況及び診察情報の各データによりインターネット上にある病院運営ＷＥＢサイトのデータを更新管理するためのＷＥＢシステム用サーバーとを夫々通信接続して成り、患者が所有している携帯電話機から病院運営ＷＥＢサイトに接続する事により、携帯電話機の電話表示部で診療室毎の診察状況及び診察情報を確認できるよう構成した事を特徴とする診察情報確認通知システム。
【請求項２】
前記ＷＥＢシステム用サーバーで更新管理された病院運営ＷＥＢサイトのデータを前記携帯電話機のメールアドレス宛に自動配信できるよう構成した事を特徴とする請求項１記載の診察情報確認通知システム。
【請求項３】
前記携帯電話機の電話番号やメールアドレスを、デジタルカメラで撮影して送信する事で、自動的にＵＲＬに変換して登録できるよう構成した事を特徴とする請求項１及び請求項２記載の診察情報確認通知システム。
【発明の詳細な説明】
【技術分野】
【０００１】  本発明は、病院の院内診療室における診察の状況や順番を来院患者が院外においても携帯電話やパソコン等にて確認したり、或いは診察時期の通知を受信したりする事のできる診察情報確認通知システムに関するものである。
【背景技術】
【０００２】  病院や診療所等にて診察や治療を受けるために来院する患者は、多くの病院や診療所では、診察時期が来るまで院内各診療科の待合場所に待機して各自の診察順番を待っているのが通例であるが、一般に一人の診察時間は３分診療と言われており、診察室への人の入れ替わりは５分と想定されているが、既に診察中や待機中の全患者が、全て５分で診療できるものとは限らないために、患者は、各自の診療時期を予測することが困難である。【０００３】  また、患者が診療時期をある程度予測している場合においても、病院や診療所は、予約以外の緊急の患者に対しても診察や治療を行なわなければならない不測の事態が生じる場合も多くあり、診察時期の予測は大幅にずれることも度々生じているのが現状である。【０００４】  更に、病院や診療所等にて診察や治療を受けるために来院している患者は、自己の名字を呼ばれて診察室に行くのであるが、同姓の多い地域においては混乱が生じているのが現状であり、特に、近年では、プライバシーを保護するために、できるだけ姓名を公表しないようにする傾向にある。【０００５】  多くの患者は、このような状況下での数々の問題点を抱えて病院や診療所等にて診察や治療を受けなければならないため、その殆どの患者は、その待機中や呼出し方法或いはプライバシーの問題に対してのストレスや不満を感じているのが現状であり、このようなストレスや不満が病院や診療所等における患者離れの原因にもなっており、病院の経営上において、危機的な問題になっている。【０００６】  そこで、近年では、患者の待機中や呼出し方法或いはプライバシーの問題によるストレスや不満を少しでも和らげるために、例えば特開２００１−０２２８５７号公報の図１０に示すように、患者の診察順番及び診察待ち時間を表示する診察順番表示部４を院内に設けて、待機中の患者がいつでも確認できるようにするシステムが公開されている。【０００７】  すなわち、このシステムは、前記診察順番表示部４に表示される診察番号４３、４４・・や診察待ち時間を幅方向にスクロール表示させるよう構成したものであり、このような表示を行なわせる事により、待機中の各患者が夫々自分の診察時期を認知できるようにして病院の利便性を強調して患者離れを可及的に防止できるようにいるものが開示されている。（特許文献１）
また、その他にも、特開２０００−２７０３５４公報には、診察待ちの患者が院外の他の場所においても自分の診察順番が来たことを携帯電話機等へ通知されるシステムの特許文献が公開されているが、該公報では、図１１に示すように、診察券読取装置１０７で、固有データが記憶された診察券１１２の固有データ読み取り後に、待ち行列管理呼出制御装置１０４が、診察券１１２を所持する患者の順番待ち時間を診察券読取装置１０７に表示し、この表示された順番待ち時間を確認した患者が、自分の診察順番到来時刻の前に呼び出して貰うための呼出時刻と患者が所持する携帯電話機１１３とをキー入力装置１０６から登録することで、待ち行列管理呼出制御装置１０４が、その登録呼出時刻に登録電話番号で固定網１０１を介して携帯電話機１１３へ発呼するようにして、待機中の各患者に対する病院の利便性を強調して患者離れを可及的に防止できるようにいるものも開示されている。（特許文献２）
【特許文献１】特開２００１−０２２８５７号公報（第６頁、図５）
【特許文献２】特開２０００−２７０３５４号公報（第１１頁、図１）
【発明の開示】
【発明が解決しようとする課題】
【０００８】  しかし、特許文献１においては、院内に設けられた患者の診察順番及び診察待ち時間をスクロール表示する診察順番表示部によって、患者は診察状況や順番等を認知する事ができるのであるが、患者は診察順番表示部を常時監視し続ける必要があり、該診察順番表示部から患者が長時間離れる事ができず、患者の行動を束縛するという問題点は解決されていない。【０００９】  また、特許文献２においては、自分の診察順番が迫った時に院外にいる患者の携帯電話機に発呼するようにしたとしているため、待ち時間をある程度無駄なく利用できるものであるが、固定網１０１を介して携帯電話機１１３へ発呼するシステムであるため、患者が院内の診察状況や診察順番等を把握し辛く認知できないという問題点はやはり残存している。【００１０】  そこで、本発明は、上記問題点を解消する為に成されたものであり、病院や診療所の院内診療室における診察状況や順番等の診察情報を来院患者が院外においても確認したり、また診察予約や診察通知を受けたりする事のできる診察情報確認通知システムを提供する事を目的とするものである。
【課題を解決するための手段】
【００１１】  すなわち、本発明の診察情報確認通知システムは、診療室を有する病院や診療所の診療室毎の診察状況及び診察順番を確認できるようにしたシステムであって、患者の診察番号を発行する順番案内サーバーと、診療室毎に診察状況を監視すると共に各患者の診療室毎の診察情報を設定するための患者診察振分け機と、患者診察振分け機から所定毎に送信される診療室毎の診察状況及び診察情報の各データによりインターネット上にある病院運営ＷＥＢサイトのデータを更新管理するためのＷＥＢシステム用サーバーとを夫々通信接続して成り、患者が携帯している携帯電話機から病院運営ＷＥＢサイトに接続する事により、携帯電話機の電話表示部で診療室毎の診察状況及び診察情報を確認できるよう構成した事を特徴とするものである。【００１２】  また、本発明の診察情報確認通知システムは、前記ＷＥＢシステム用サーバーで更新管理された病院運営ＷＥＢサイトのデータを前記携帯電話機のメールアドレス宛に自動配信できるよう構成した事を特徴とするものである。【００１３】  更に、本発明の診察情報確認通知システムは、前記携帯電話機の電話番号やメールアドレスを、デジタルカメラで撮影して送信する事で、自動的にＵＲＬに変換して登録できるよう構成した事を特徴とするものである。
【発明の効果】
【００１４】  よって、本発明の診察情報確認通知システムは、診療室を有する病院や診療所の診療室毎の診察状況及び診察情報を確認できるようにしたシステムを、患者の診察番号を発行する順番案内サーバーと、診療室毎に診察状況を監視すると共に各患者の診療室毎の診察順番を設定したりするための患者診察振分け機と、患者診察振分け機から所定毎に送信される診療室毎の診察状況及び診察情報の各データによりインターネット上にある病院運営ＷＥＢサイトのデータを更新管理するためのＷＥＢシステム用サーバーとを夫々通信接続して構成されており、患者が携帯している携帯電話機から病院運営ＷＥＢサイトに接続する事によりシステム利用できるようにしているため、診察の受付を済ませた患者が病院外にいても診察状況や診察順等の診察情報を把握する事ができるので、患者は待機中や呼出し方法或いはプライバシーの問題に対してのストレスや不満を最小限に低減させる事ができる。【００１５】  また、本発明の診察情報確認通知システムは、患者が携帯している携帯電話機で容易に診察状況や診察順等の診察情報を入手できるので、緊急患者や予約以外の患者等の不測の事態により病院内での診察順が変更した場合であっても、患者はこの情報を即座に入手できるため、病院側に対する順番待ちの患者による問合せが大幅に減少でき、しかも病院や診療所に対する苦情や不満による患者離れも防止できるため、経営上においても有益となる。【００１６】  また、本発明の診察情報確認通知システムは、前記携帯電話機のメールアドレス宛に自動配信できるようにしている為、予約している患者は自動的にその診察状況や診察情報を把握することができ、しかも音声対応を迫れる事も無いために不満も生じることがなく、且つ、患者に診察時間を厳守させるよう注意を喚起する事もできる。【００１７】  更に、本発明の診察情報確認通知システムは、前記携帯電話機の電話番号やメールアドレスを、デジタルカメラで撮影して送信する事で、自動的にＵＲＬに変換して登録できるよう構成し、その患者の名字や性別を他人に知られることなく容易に登録できるようにしている為、同姓の多い地域においても誤認による混乱が生じるという問題も回避でき、しかも、プライバシーも保護する事ができるものとなる。
【発明を実施するための最良の形態】
【００１８】  以下に、本発明の診察情報確認通知システムを、図面に示す一実施形態に基づきこれを詳細に説明する。【００１９】  図１は本発明の診察情報確認通知システムの一実施形態を示すシステムフロー図であり、図２は本発明の診察情報確認通知システムにおける受付機の一実施形態を示す斜視図であり、図３は本発明の診察情報確認通知システムにおける診察順番票の一実施形態を示す説明図であり、図４及び図５は本発明の診察情報確認通知システムにおける診察順番表示部の一実施形態を示す説明図であり、図６は本発明の診察情報確認通知システムに使用される患者所有の一般的な携帯電話機の一実施形態を示す斜視図であり、図７乃至図９は本発明の診察情報確認通知システムを利用した場合の携帯電話機の電話表示部に表示される診察情報の一実施形態を示す説明図であり、図１０及び図１１は従来技術を示す参考図である。【００２０】  本発明の診察情報確認通知システム１ａは、図１の実施形態で示したように、診療科毎に分かれた複数の診療科ブロック９１ａと、該診療科ブロック９１ａ毎に分かれ、医師が個々に受け持つ複数の診療室９１１ａを備える病院や診療所等の院内９ａの場合を例示しており、該院内９ａには、患者８ａに対して診察順番票２２ａを発行するための受付機２ａが設置されている。【００２１】  該受付機２ａは、順番案内サーバー４ａに通信接続されており、患者８ａのデータを患者８ａの予約する診療科ブロック９１ａに振り分けると共に、該診療科ブロック９１ａにおける診察順番を自動的に設定して診察番号２３ａを発行して受付機２ａへ送信することができるようにしている。【００２２】  前記順番案内サーバー４ａは、患者診察振分け機３ａと通信接続されると共に各々の診療科ブロック９１ａ毎に設置され、診療室９１１ａにおける診察状況や診察情報を監視すると共に順番案内サーバー４ａから送信された各患者のデータを各診療室９１１ａに振り分けつつ診療室９１１ａ毎の診察順番等の診察情報を設定することができるようにしている。【００２３】  前記各診療科ブロック９１ａ内の待合場所９１２ａには、液晶ディスプレィ等の診察順番表示部６ａが設置されており、該診察順番表示部６ａには、患者の診察状況や診察順番等の診察情報を表示することができるようにしている。【００２４】  前記順番案内サーバー４ａは、メール等を送受信したりするためのＷＥＢシステム用サーバー５ａと通信接続されており、また、該ＷＥＢシステム用サーバー５ａは、各診療科ブロック９１ａ内の各診療室９１１ａ毎における診察状況や診察順番等の診察情報を閲覧する事ができる病院運営ＷＥＢサイト７ａにインターネットで接続されており、該病院運営ＷＥＢサイト７ａのデータが置かれているウェブサーバ（図示せず）は、該データを更新管理したり、メール等の送受信を管理したりしている。【００２５】  従って、上記システムの構築により、患者８ａが前記院内９ａから外出した院外であっても、患者は自己が所有している携帯電話機８１ａから病院運営ＷＥＢサイト７ａへ容易にアクセスして、院内９ａでの診察状況や診察情報を確認する事が可能であると共に、患者８ａの診察時期が迫るとＷＥＢシステム用サーバー５ａから携帯電話機��１ａに診察通知を行って、患者８ａが院内９ａの待合場所９１２ａで待機するよう案内することができるようにしている。【００２６】  前記受付カード２１ａは、例えばプラスチック等の樹脂製や紙製のものを名刺大に形成し、これに患者８ａのＩＤ記号、氏名、診療科名、予約の有無、その他のデータを書換可能に記憶する磁気部またはバーコード部或いはＩＣチップ等の記憶部（図示せず）を備えて構成したものとしている。【００２７】  尚、初診患者は前記院内９ａの受付窓口（図示せず）で受付カード２１ａを発行してもらい、該受付カード２１ａに患者８ａのＩＤ記号、氏名、診療科名、予約の有無、その他のデータを記憶部に記憶してもらうのであるが、携帯電話機８１ａの電話番号やメールアドレスは、デジタルカメラ等で撮影して送信する事で、自動的にＵＲＬに変換して登録することができるものとしている。【００２８】  前記受付機２ａの前側には、図２に示すように患者８ａが来院して前記受付カード２１ａを挿入して受付カード２１ａの前記記憶部（図示せず）に記憶されたデータを読み取らせるため読取り挿入部２５ａを設けており、該読取り挿入部２５ａに受付カード２１ａを挿入する事により、該記憶部に記憶されたデータは順番案内サーバー４ａに自動送信される。【００２９】  次いで順番案内サーバー４ａは該データを記憶部に記憶された診療科名データに基づいて前記診療科ブロック９１ａに自動的に振り分けると共に、診療科ブロック９１ａ内に設置された前記患者診察振分け機３ａとの通信によって得られる診療科ブロック９１ａ内での診察順番に基づいて前記診察番号２３ａが発行された後、該診察番号２３ａが受付機２ａに返信される。【００３０】  よって、受付機２ａにより、患者８ａのＩＤ記号、氏名、診療科名、予約の有無、受付日及び受付時間、その他必要通知事項等と共に診察番号２３ａは、図３に示したように前記診察順番票２２ａに印刷されて、患者８ａは該診察順番票２２ａを受け取る事になる。【００３１】  尚、前記受付機２ａに備えられた表示部２４ａにおいても診察番号２３ａと共にＩＤ記号、氏名、診療科名、予約の有無、受付日及び受付時間等を表示させる事ができるようにすると患者８ａが確認しやすくなる。【００３２】  また、受付機２ａに受付カード２１ａを挿入してから前記診察順番票２２ａが発行される前に、患者８ａは所望する診療科や他の診察施設及び診療行為の他、医師等を任意選択する事ができるようにしてもよい。【００３３】  また、前記受付機２ａは、来院履歴チェック機能により、一定期間が経過している患者８ａに健康保険証書の提示依頼やそのための受付窓口への誘導を促す事ができるようにしたり、音声による患者８ａの操作を支援する音声サポート機能を搭載したりすることができ、また、必要に応じて車椅子対応のスタンド（図示せず）を備えたりする事もでき、更に、前記受付機２ａは、運用スケジュールに基づいて自動立ち上げや自動終了できるようにしてもよい。【００３４】  前記順番案内サーバー４ａから前記各々の診療科ブロック９１ａ毎に設置した前記各患者診察振分け機３ａに各患者のデータが送信されるのであるが、各々の診療科ブロック９１ａ毎に配された職員または看護師は、同診��科ブロック９１ａ内の各前記診療室９１１ａを受け持つ医師の診察進捗状況をモニタリングしながら、該患者診察振分け機３ａにより患者の空いている診療室９１１ａへ割り振って各々の診療室９１１ａ毎の各患者の診察順番付けを行うようにする。【００３５】  また前記受付機２ａにて患者８ａが特定の医師を選択した場合は、患者診察振分け機３ａにて該医師の受け持つ診療室９１１ａの診察順番に入れるようにし、また患者８ａが救急治療となる場合は、患者診察振分け機３ａにて優先的に診察順番を上位にする事も可能である。【００３６】  更に、診察後検査等を行う必要が生じた場合は、該検査の後に患者診察振分け機３ａで所定の診療室９１１ａへの順番付けを再度行うようにすることができる。【００３７】  前述したように、前記各患者の診察番号２３ａは、前記患者診察振分け機３ａによって前記各診療室９１１ａに振り分けられて順番付けがなされるのであるが、患者診察振分け機３ａにより振り分けられた診察番号２３ａは、図４及び図５に示したように、前記待合場所９１２ａ毎に設置される前記診察順番表示部６ａの診察順番通知表示６３ａに順次リスト表示するよう自動制御されている。【００３８】  実施例では、該診察順番通知表示６３ａを、診察を待っている患者の診察順番上位から３人の患者の夫々の前記診察番号２３ａが左から昇順にリスト表示されるようにしたものを例示しており、患者が診療室９１１ａに入った時点で該患者の診察番号２３ａは診察順番通知表示６３ａから消去されると共に、各患者の診察順番が繰り上がって、診察を待っている患者の診察順番上位から４人目の患者の診察番号２３ａが診察順番通知表示６３ａの右端に表示されるよう患者診察振分け機３ａにより自動制御される場合を示した。【００３９】  また前記診察順番表示部６ａには、他にも前記診療科ブロック９１ａ内の各前記診療室９１１ａ毎の診察状況を示す診察状況通知表示６２ａと、該診察順番通知表示６３ａに表示されない患者の中で最上位の患者の診察待ち時間を示す診察待ち時間表示６４ａとを設け、該診察状況通知表示６２ａと診察待ち時間表示６４ａとは前記患者診察振分け機３ａによって自動制御している。【００４０】  前記診察状況通知表示６２ａは、例えば患者８ａが診療室９１１ａ内にて診察中の場合は「診察中です」と表示し、該診療室９１１ａを担当する医師が席を外している場合は「しばらくお待ち下さい」と表示し、患者８ａを呼び出す場合は「呼び出し中」と表示したりする事ができるようにしている。【００４１】  尚、患者８ａを呼び出す場合において、前記診察順番通知表示６３ａを「・・の方お入り下さい」と表示すると共に、音声（呼び込み案内）によっても患者８ａが所定の診療室９１１ａに入るように案内できるようにしても良い。【００４２】  よって、患者８ａは自分の前記診察番号２３ａが前記診察順番通知表示６３ａに表示されていれば、自分の診察時期が迫っている事を認知する事ができるので、前記待合場所９１２ａで待機する事になり、また、診察順番通知表示６３ａに表示されていなければ、患者８ａは図４及び図５に示したような診察待ち時間表示６４ａに示す時間（３０分）を確認して、表示された時間内の範囲で前記診療室���１１ａから離れる事ができる。【００４３】  また、前記診察順番表示部６ａの画面下部にはスクロール文書案内６１ａを設けて、前記各診療科ブロック９１ａにおける独自の登録文書をスクロール表示させるようにする事もできる。また、他の機能として診察順番表示部６ａの前記診察番号２３ａが更新された場合や他の変更があった場合に、チャイム発音を行うようにしてもよく、これにより、前記待合場所９１２ａで待機している各患者の注意を喚起する事ができる。【００４４】  本発明の診察情報確認通知システム１ａは前述したように、患者８ａが、図６に示すような前記携帯電話機８１ａから前記ＷＥＢシステム用サーバー５ａにより更新管理される前記病院運営ＷＥＢサイト７ａにアクセスする事により、所望する前記診療科ブロック９１ａ内の各々の診療室９１１ａ毎における診察状況や診察順番等を閲覧する事ができるのであり、詳しくは、各診療科ブロック９１ａの各診療室９１１ａにおける診察状況及び診察のために待機している患者の診察順番等の診察情報のデータが更新される毎に前記患者診察振分け機３ａからＷＥＢシステム用サーバー５ａへデータ送信され、次いでＷＥＢシステム用サーバー５ａは自動的に診察状況及び診察順番等の診察情報のデータを病院運営ＷＥＢサイト７ａのデータが置かれているウェブサーバ（図示せず）で書き換え更新されるようにしている為、患者８ａが院外に外出していた場合であっても、院内９ａの所望する診療室９１１ａの診察状況や診察順番等の最新の診察情報を、所有している携帯電話機８１ａの電話表示部８１１ａで常に確認する事ができるのである。【００４５】  図７乃至図９は、携帯電話機８１ａの電話表示部８１１ａで表示された診察情報の例を示したものであり、患者８ａが携帯電話機８１ａにより病院運営ＷＥＢサイト７ａにアクセスした場合には、図７に示したように、前記電話表示部８１１ａに先ず予約している診療科を選択させる画面が表示される。そこでは、例えば「診療科を選択して下さい」と表示されると共に「小児科」、「産婦人科・女性科」・・の各診療科を携帯電話機８１ａの電話操作部８１２ａで選択できるようにしている。【００４６】  そこで、患者８ａが各自の診療科を選択した後、予約している診療室９１１ａを選択すれば、図８に示したように、診療室データ８１３ａ、担当医データ８１４ａ、診察状況データ８１５ａ、診察順番データ８１６ａ、診察待ち時間データ８１７ａ等を電話表示部８１１ａに表示させることができるのである。【００４７】  前記診察順番データ８１６ａは、各患者の前記診察番号２３ａがリスト表示されるようにしており、例えば図８の実施例では、リスト表示する診察順番データ８１６ａ左上の診察番号２３ａが診察順番における最上位となるようにした１行３列から成るものを例示した。【００４８】  このように、患者８ａは前記電話表示部８１１ａを見ることで、前記院内９ａの診察状況や診察順番等の診察情報を容易に認知する事ができるのであるが、前記電話表示部８１１ａにおいて「診療科を選択して下さい」と表示する際に各診療科と共に、図示していないが、病院の電話での問い合わせ先番号表示や病院側のＵＲＬ等を表示させるようにしてもよい。【００４���】  また、前記携帯電話機８１ａの前記電話表示部８１１ａに表示される診察順番データ８１６ａは、スクロール表示可能にしてもよく、これにより、患者８ａの診察順番がどれほど後番であったとしても確認する事ができるようにすることができる。【００５０】  更に、前述したように患者８ａの診察時期が迫ると前記ＷＥＢシステム用サーバー５ａから携帯電話機８１ａに診察通知を行って、患者８ａが診療室９１１ａの待合場所９１２ａへ案内するようにできる。【００５１】  すなわち、患者８ａが所望する診療科ブロック９１ａに設置する患者診察振分け機３ａは、携帯電話機８１ａを所有する患者８ａが診察順番上位から４人目から３人目に変わった時点で該患者８ａの携帯電話機８１ａへ診察通知メールを配信するようＷＥＢシステム用サーバー５ａに命令を出し、配信された診察通知メールを患者８ａが携帯電話機８１ａの電話表示部８１１ａで確認できるようにしている。【００５２】  例えば、診察通知メール表示としては、図９に示したように「お待たせしました。まもなく、診療です。」と表示させたり、これに加えて「凡そ２０分後にお呼びする予定です。来院後お待ち頂く事がありますが、ご了承願います。」と表示させたりする事もできる。【００５３】  尚、患者８ａが携帯している前記携帯電話機８１ａにて前記病院運営ＷＥＢサイト７ａへアクセスして、所望する診療室９１１ａの診察状況や診察順番等の診察情報を確認したり、前記携帯電話機８１ａに診察通知を受信させるためには、予め、患者８ａ個人の携帯電話機８１ａのメールアドレスをＷＥＢシステム用サーバー５ａに登録する必要があり、該登録の方法としては、例えば、前述したように、病院側のＵＲＬを取り込んだ後、携帯電話機８１ａに備えられたカメラ（図示せず）で電話番号やメールアドレスを記載したシールを撮影してＷＥＢ登録ページに送信する事で、自動的にＵＲＬに変換して登録できるようにする方法や、病院側のＵＲＬを取り込んだ後、患者８ａが病院側の病院運営ＷＥＢサイト７ａにあるＷＥＢ登録ページ（図示せず）にアクセスして記入登録する方法の他、個人のメールアドレスを病院窓口へ提示して登録してもらう方法等があり、その登録方法は任意に選択できる。【００５４】  尚、図示していないが、前記携帯電話機８１ａへの表示に代えて、携帯型パソコン（図示せず）や据置型パソコン（図示せず）にも同様に診察情報を送受信する事ができるものであり、例えば、患者が病院の近隣に居住しているような場合にでも、前記受付機２ａにて受付を済ませた後、これらのパソコンを使用して自宅でＷＥＢシステム用サーバー５ａからの診察通知メールを待つこともでき、自宅での待機も可能となる。
【図面の簡単な説明】
【００５５】
【図１】本発明の診察情報確認通知システムの一実施形態を示すシステムフロー図である。
【図２】本発明の診察情報確認通知システムにおける受付機の一実施形態を示す斜視図である。
【図３】本発明の診察情報確認通知システムにおける診察順番票の一実施形態を示す説明図である。
【図４】本発明の診察情報確認通知システムにおける診察順番表示部の一実施形態を示す説明図である。
【図５】本発明の診察情報確認通知システムにおける診察順番表示部の一実施形態を示す説明図である。
【図６】本発明の診察情報確認通知システムにおいて患者が携帯する携帯電話機を示す一実施形態の斜視図である。
【図７】本発明の診察情報確認通知システムを利用した場合の携帯電話機の電話表示部に表示される診察情報の一実施形態を示す説明図である。
【図８】本発明の診察情報確認通知システムを利用した場合の携帯電話機の電話表示部に表示される診察情報の一実施形態を示す説明図である。
【図９】本発明の診察情報確認通知システムを利用した場合の携帯電話機の電話表示部に表示される診察情報の一実施形態を示す説明図である。
【図１０】従来技術を示す参考図である。
【図１１】従来技術を示す参考図である。
【符号の説明】
【００５６】      １ａ  診察情報確認通知システム
２ａ  受付機
２１ａ  受付カード
２２ａ  診察順番票
２３ａ  診察番号
２４ａ  表示部
２５ａ  読取り挿入部
３ａ  患者診察振分け機
４ａ  順番案内サーバー
５ａ  ＷＥＢシステム用サーバー
６ａ  診察順番表示部
６１ａ  スクロール文書案内
６２ａ  診察状況通知表示
６３ａ  診察順番通知表示
６４ａ  診察待ち時間表示
７ａ  病院運営ＷＥＢサイト
８ａ  患者
８１ａ  携帯電話機
８１１ａ  電話表示部
８１２ａ  電話操作部
８１３ａ  診療室データ
８１４ａ  担当医データ
８１５ａ  診察状況データ
８１６ａ  診察順番データ
８１７ａ  診察待ち時間データ
９ａ  院内
９１ａ  診療科ブロック
９１１ａ  診療室
９１２ａ  待合場所
【図１】
2006120103.tif 000003
【図２】
2006120103.tif 000004
【図３】
2006120103.tif 000005
【図４】
2006120103.tif 000006
【図５】
2006120103.tif 000007
【図６】
2006120103.tif 000008
【図７】
2006120103.tif 000009
【図８】
2006120103.tif 000010
【図９】
2006120103.tif 000011
【図１０】
2006120103.tif 000012
【図１１】
2006120103.tif 000013